(57)【要約】  本発明は、マルチニップカレンダ（１）又はマルチニップカレンダのアレイでの振動を防止する方法に係る。各マルチニップカレンダは、下方ロール（３；４０）、上方ロール（３；３０）、及び、下方ロールと上方ロールとの間の２つ又はそれ以上のロールを有する。ファイバ・ウェブは、２つ又はそれ以上のマルチニップカレンダのロール・ニップを介して運ばれ得る。これらのロール・ニップは閉じられている。中間ロールは、負荷緩和手段を備えられ、上方ロール（３；３０）及び下方ロール（３；４０）は、これらのロール内に取付け手段を備えられ、取付け手段は下方ロール（３；４０）及び／又は上方ロール（３；３０）に接続され、カレンダ平面に平行な方向で外側からこれらのロールを取り付けるようにされる。本方法は、稼働パラメータ（９）の断続的又は継続的な変更を有し、１つ又はそれ以上の選択されたロール・ニップ（Ｎ）のカレンダリング・インパルスに影響を与える。カレンダ又はカレンダ・アレイの全体カレンダリング・インパルス（９）を備え、及び／又は、ファイバ・ウェブの品質変数（２１）は、略一定及び／又は制限範囲内に保持される。
2007512446.tif 000002
【特許請求の範囲】
【請求項１】
マルチニップカレンダ（１）又はマルチニップカレンダのアレイでの振動を防止する方法であって、各マルチニップカレンダは、下方ロール（３；４０）、上方ロール（３；３０）、及び、前記下方ロールと前記上方ロールとの間の２つ又はそれ以上のロールを有し、ファイバ・ウェブ（Ｗ）は、２つ又はそれ以上のマルチニップカレンダのロール・ニップ（Ｎ）を介して運ばれ得、前記ロール・ニップは閉じられており、中間ロールは、負荷緩和手段を備えられ、前記上方ロール（３；３０）及び前記下方ロール（３；４０）は、前記ロール内に取付け手段を備えられ、前記取付け手段は前記下方ロール（３；４０）及び／又は前記上方ロール（３；３０）に接続され、カレンダの平面（Ｐ）に平行な方向で外側から前記ロールを取り付けるようにされ、
前記方法は、１つ又はそれ以上の選択されたロール・ニップ（Ｎ）のカレンダリング・インパルスに影響を与える稼働パラメータ（９）の断続的又は継続的な変更を有し、前記カレンダ又はカレンダ・アレイの全体カレンダリング・インパルス（９）、及び／又は、ファイバ・ウェブ（Ｗ）の品質変数（２１）は、略一定及び／又は制限範囲内に保持される、ことを特徴とする、
方法。
【請求項２】
前記方法は、前記選択されたロール・ニップ（Ｎ）の前記ニップ圧力上で作用する前記稼働パラメータ（９）の変更を有し、前記マルチニップカレンダ又刃カレンダ・アレイの前記全体ニップ圧力は、所定の制限内に留まる、ことを特徴とする、
請求項１記載の方法。
【請求項３】
個別のロール・ニップの前記ニップ圧力は変更され、前記マルチニップカレンダのカレンダリング角（α）は、所定の制限内に留まる、ことを特徴とする、
請求項２記載の方法。
【請求項４】
前記カレンダリング角（α）は、前記マルチニップカレンダの前記中間ロール上の前記上方及び下方ロールによって与えられた圧力の相違を所望の値で維持することによって、前記所望の値で保持される、ことを特徴とする、
請求項３記載の方法。
【請求項５】
前記方法は、以下の、
−  マルチニップカレンダ（１）又はマルチニップカレンダ・アレイで１つ又はそれ以上の第１のロール・ニップの前記カレンダリング・インパルス上で作用する前記選択された稼動パラメータ（９）を、継続的又は断続的に変更する段階と、
−  カレンダ又はカレンダ・アレイ、又はその部分的な変数、及び／又は前記ファイバ・ウェブの選択された品質変数（２１）の全体カレンダリング・インパルス（１１）を測定又は評価する段階と、
−  １つ又はそれ以上の第２のロール・ニップの前記カレンダリング・インパルスに作用し、ファイバ・ウェブの全体カレンダリング・インパルス（１１）及び／又は品質変数（２１）が略一定に留まるようにする前記稼働パラメータ（９）を変更する段階と、
を有することを特徴とする、方法。
【請求項６】
前記方法は、１つ又はそれ以上のロール・ニップの前記ニップ圧力を変更することによる前記稼働パラメータ（９）を変更する段階と、前記カレンダ又はカレンダ・アレイの前記全体ニップ圧力の前記変更を決定することによる前記全体カレンダリング・インパルスの前記変更を測定する段階と、を有することを特徴とする、
請求項５記載の方法。
【請求項７】
マルチニップカレンダ又はマルチニップカレンダ・アレイで振動を防止する配置であって、
各マルチニップカレンダは、下方ロール（３；４０）、上方ロール（３；３０）、及び、前記下方ロールと前記上方ロールとの間の１つ又はそれ以上の中間ロールを有し、前記ファイバ・ウェブは、前記閉じられたロール・ニップを備えた２つ又はそれ以上のマルチニップカレンダのロール・ニップ（Ｎ）を介して運ばれ得、前記中間ロールは、負荷緩和手段を備えられ、前記上方ロール（３；３０）及び／又は前記下方ロール（３；４０）は、前記ロール内に取付け手段を備えられ、前記取付け手段は、前記下方ロール（３；４０）及び／又は上方ロール（３；３０）に接続されて前記ロールを前記カレンダの前記平面（Ｐ）の方向に外側から取り付けるようにされ、
前記配置は、制御システム（７）及び測定システム（６）を有し、前記制御システムは、演算ユニット（５１）及び調整ユニット（５２）を有し、前記調整ユニット（５２）は、前記演算ユニット（５１）からの制御コマンドの影響下で選択された１つ又はそれ以上のロール・ニップの前記カレンダリング・インパルス上で作用する稼働パラメータ（９）の継続的又は定期的な変更を可能にし、前記カレンダ又はカレンダ・アレイの前記全体インパルス（１１）及び／又は前記ファイバ・ウェブの前記品質変数（２１）が、略一定又は所定の制限内に留まるようにされること、を特徴とする、
配置。
【請求項８】
−  前記制御システム（７）の前記演算ユニット（５１）は、前記変更手段（５３）、前記補償手段（５４）、及び前記測定システム（６）から送られたデータに基づき、各ロール・ニップ（Ｎ）でなされる前記稼働パラメータ（９）の変更を決定し、
−  前記制御システムの前記調整システムは、前記演算ユニット（５１）及び善意Ｋ稼働パラメータ（９）の値から受け取った情報に基づき、前記マルチニップカレンダ又はカレンダ・アレイの前記稼働パラメータを調整し、
−  前記測定システム（６）は、前記カレンダ又はカレンダ・アレイの前記全体カレンダリング・インパルス（１１）、及び／又は前記ファイバ・ウェブの前記品質変数（１１）に関する情報を受ける手段を有すること、を特徴とする、
請求項７記載の配置。
【発明の詳細な説明】
【技術分野】
【０００１】
本発明は、マルチニップカレンダにおける振動を防止する方法等に係る。
【０００２】
本発明は、また、マルチニップカレンダにおける振動を防止する配置等に係る。
【背景技術】
【０００３】
本発明内で試験されたマルチニップカレンダは、上方ロール及び下方ロールを有し、該ロールは、ロール内に変数クラウン手段を備えられる。上方ロール及び／又は下方ロールは、外部ハイドロリック・シリンダによって、一式のロールの平面に対して平行な方向で取り付けられ得、故に一式のロールのロール・ニップで、所望の全体ニップ圧力、及びニップ圧力分配を生成する。２つ又はそれ以上の中間ロールが、上方ロールと下方ロールとの間にこれらとの一直線上に蒸着される。支持アームは、中間ロールの端部に与えられたベアリング・ハウスに取り付けられ、中間ロールは、支持アームからカレンダ・フレームまで関節づけられる。ハイドロリック・シリンダ等の負荷緩和手段は、支持アームに接続され、中間ロール固有の重量、及びドクター・ブレード、スチーマ・ボックス、及び出力ロール等の関連する補助装置の重量を緩和する。
【０００４】
マルチニップカレンダでは、特に、（ニップ圧力、ファイバ・ウェブの湿度、ファイバ・ウェブの速度を有する）カレンダリング状態が長期間以上に一定に保たれている場合に、カレンダリング効果を減じる振動がしばしば生成される。独国特許発明第１００３６５７４号明細書（特許文献１）は、マルチニップの一式のロールで生成されたかかる振動を防止する目的のマルチニップカレンダでファイバ・ウェブ（ｆｉｂｒｅ  ｗｅｂ）をカレンダリングする方法を開示する。かかる方法は、マルチニップカレンダ上に与えられたニップ負荷を変える。かかる変えられたニップ負荷は、一式のロールでの振動を防止し得るが、依然として特定の紙の品質等級の特徴のより質の低い印刷特性の問題を有している。
【特許文献１】独国特許発明第１００３６５７４号明細書
【発明の開示】
【発明が解決しようとする課題】
【０００５】
本発明は、従来技術で発生する問題を除去することを目的とする。故に、本発明の主要な目的は、マルチニップカレンダでの振動の発生を防止することである。本発明の第２の目的は、ファイバ・ウェブの印刷特性を大きく変更することなく振動の生成を防止することである。
【課題を解決するための手段】
【０００６】
本発明の方法及び配置は、上述の目的を達成する。マルチニップカレンダ又はマルチニップカレンダ・アレイで振動を防止する本発明の方法は、各マルチニップカレンダにおいて、下方ロール、上方ロール、及び、下方ロールと上方ロールとの間の２つ又はそれ以上の中間ロールを有する。ファイバ・ウェブは、閉じられたロール・ニップを備えた２つ又はそれ以上のマルチニップカレンダのロール・ニップを介して運ばれ得る。中間ロールは、負荷緩和手段を備えられ、上方ロール及び下方ロールのいずれもが、ロール内に取付け手段を備えられ、取付け手段は、下方ロール及び／又は上方ロールに接続されて前述のロールをカレンダの平面の方向に外側から取り付けるようにされる。マルチニップカレンダ又はマルチニップカレンダ・アレイでは、１つ又はそれ以上の選択されたロール・ニップのカレンダリング・インパルス上で作用する稼働パラメータは、略一定又は所定の制限内に残っているファイバ・ウェブの品質変数、及び／又はカレンダ又はカレンダ・アレイの全体カレンダリング・インパルスを伴って、継続的又は定期的に修正される。
【０００７】
同様に、本発明の配置は、制御システム及び測定システムを有し、制御システムは、演算ユニット及び調整ユニットを有する。調整ユニットは、演算ユニットからの制御コマンドの影響下の選択された１つ又はそれ以上のロール・ニップのカレンダリング・インパルス上で作用する稼働パラメータの継続的又は定期的な変更に貢献し、カレンダ又はカレンダ・アレイ及び／又はファイバ・ウェブの品質変数の全体インパルスが、略一定又は所定の制限内に留まるようにされる。
【０００８】
本発明は、定期的又は継続的にプロファイリング状態を修正することによってマルチニップカレンダのファイバ・ウェブを、また、同時に個別のロール・ニップのカレンダリング・インパルスをプロファイリングすることに基づく。しかしながら、カレンダ又はカレンダ・アレイを全体として考慮すると、全体カレンダリング・インパルスは、ファイバ・ウェブ及びファイバ・ウェブの品質変数によって受けられ、常に所望の制限内に留まる。これは以下の手順で達成される。：中間層の負荷緩和手段によって支持アーム上に与えられた支持圧力力、ロール温度等のカレンダの稼働パラメータが１つのロール・ニップで１つの方向に修正される際、同一又は異なる稼働パラメータは、第２のロール・ニップで逆の方向に修正されるが、依然としてカレンダ又はカレンダ・アレイでのファイバ・ウェブのカレンダリング後に全体として品質変数を修正することがない。本発明の望ましい一実施例では、ニップ負荷は、所望の制限内に留まる全体カレンダリング角、及び／又はカレンダの全体ニップ負荷又はカレンダアレイを備えて、個別のロール・ニップの稼働中に継続的又は断続的に改善される。
【０００９】
本発明の方法によって達成されたマルチニップカレンダにおける振動を緩和する既知の配置及び方法の顕著な利点は、本方法が、各ニップにおける変更されたカレンダリング・インパルスのもとで、個別のロール・ニップのファイバ・ウェブのプロファイレーションの修正によって、マルチニップカレンダでの振動を効率的に防止する一方、全体として苦慮された与えられたマルチニップカレンダ又はマルチニップカレンダ・アレイを備えて、ファイバ・ウェブの品質特性又はファイバ・ウェブによって受けられた全体カレンダリング・インパルスを変更することはない。
【００１０】
かかる状況で、カレンダリング・インパルスは、考慮中であるロール・ニップのファイバ・ウェブで行なわれるプロファイレーションを表し、結果的にファイバ・ウェブ表面は、所望の仕上がり、平滑性、及び密度となる。全体カレンダリング・インパルスは、同様に、考慮中のカレンダ又はカレンダ・アレイのファイバ・ウェブで行なわれるプロファイレーション工程を示唆する。
【００１１】
カレンダリング・インパルスは、カレンダ稼働パラメータによって影響される。該パラメータは、カレンダ稼働速度、カレンダのロール・ニップでのファイバ・ウェブの動きの速度、ロール・ニップに広がるニップ圧力、ロールの長手方向軸のリニア圧力、ファイバ・ウェブの特定な特性等を有する。原則的なカレンダ稼働パラメータは、圧縮、及び、ファイバ・ウェブの圧縮期間に関わり、ペーパー・ウェブ等のファイバ・ウェブの固有の構造上で働く。カレンダの全体圧縮は、主にリニア圧力に依存する。リニア圧力は、ロール・ニップ内、ロール・コーティング上、及びロール径上で広がる。マルチニップカレンダでは、全体圧縮期間は、ファイバ・ウェブでカレンダによって与えられ、同様に、主にニップの長さ、カレンダ稼働速度、及びニップの数に依存する。これらの調整可能な稼働パラメータの中では、カレンダ稼働速度が最も使用しやすく、マルチニップカレンダのロール・ニップのファイバ・ウェブの動きの速度を決定する。紙の表面の特性、即ち仕上がりは、カレンダされるべきファイバ・ウェブの湿度及び温度が、また、ロールに沿ったリニア圧力のプロファイルが影響を与え得る。稼働中のファイバ・ウェブの湿度は、サーモロールの温度を調整することによって、また、スチーマ・ボックス等の中間ロールの端部に与えられた織物の加湿手段の使用によって、変更され得る。サーモロールは、ポリマ被覆されたロールの間で中間ロールを互い違いにするよう、マルチニップカレンダに頻繁に与えられる。リニア圧力プロファイルは、上方ロール及び／又は下方ロール内で取付け手段を用いてマルチニップカレンダで制御される。
【００１２】
上述されたマルチニップカレンダの稼働パラメータは、各個別のカレンダ又はカレンダ・アレイ用だけではなく、１つのカレンダ内の各ロール・ニップ用でもあると考慮され得る。しかしながら、本発明によれば、稼働パラメータは、各カレンダ又はカレンダ・アレイに関する実際のカレンダリング効果（ファイバ・ウェブの品質変数および全体カレンダリング・インパルス）を変えることなく、各ロール・ニップに対して変更される。特定の目的は、蓄積ニップ圧力を、各カレンダ又はカレンダ・アレイで略一定に保持することである。
【発明を実施するための最良の形態】
【００１３】
本発明は添付の図面を参照して以下により詳しく説明される。
【００１４】
図１中に図示されるマルチニップカレンダでは、ファイバ・ウェブＷが、ガイド・ロール及び出力ロールを介して上方からカレンダに入り、下方からカレンダを出る。カレンダは、上方ロール３；３０、下方ロール３；４０を有し、これらの間の同一平面に位置付けられ、７つの中間ロール３；３１乃至３；３６を有する。上方ロール及び下方ロールは、加熱可能なサーモロール等を有し得る。中間ロールのうち、最も上方のロール３１と最も下方のロール３６、及び２つの中心の中間ロール３３，３４は、金属被覆された金属ロールであり、残りの中間ロール３２及び３５は、加熱可能な金属被覆されたサーモロールである。サーモロールは、マントルの下でロールにもたらされた水またはオイル等の流体、又は、より高い温度が所望される際はマントルの外部誘導加熱を使用、のうちいずれかによって加熱され得る。サーモロール及びポリマ被覆されたロールの設計は、それ自体が従来のものである。中心の中間ロール（ポリマ被覆されたロール３３，３４）の間で、カレンダは、紙の不均衡性の制御をする「反転ロール」を有する。カレンダは、マルチニップカレンダにペーパー・ウェブのカレンダリングを制御し、本発明の方法に従ってカレンダでの振動を低減するよう、制御システム７を有する。
【００１５】
上方及び下方ロールと中間ロールを通過する平面Ｐは一式のロールの平面と称される。一式のロールは、略垂直な平面である。上方中間ロール３１の負荷補償手段の設計は、以下で調査される。残りの中間ロールの負荷補償手段は、同様の設計を有する。中間ロール３；３１の端部は、ベアリング・ハウス３ａ；３１ａに回転可能に適合され、支持アーム３ｂ；３１ｂは、関節部３１ｂ’でフレームに関節付けられることによってかかるベアリング・ハウスに接続される。ハイドロリック・シリンダ等の負荷補償手段３ｃ；３１ｃは、支持アーム３ｂ；３１ｂに取り付けられ、支持アーム３ｂ；３１ｂの上げ下げを行うようにされる。出力ロール８は、中間ロールのベアリング・ハウス３ａに接続され、ファイバ・ウェブＷをマルチニップカレンダ１の１つのロール・ニップから他のロール・ニップへと動かすようにされる。
【００１６】
カレンダ１の上方ロール３；３０及び下方ロール３；４０は、ロール・マントルの偏向に関する所望の補償のため、取付け構成要素を前述のロール内に備えられる。ロール内に与えられた取付け構成要素は、それ自体が従来の設計を有する。即ち、取付け構成要素は、ロール・ニップでロール・マントルの下方のシリンダに繋がる流体ダクトを開閉することによってゾーンの方向で制御され得る、シリンダ・アレイ等を有し得る。望ましい一実施例では、ハイドロリック・シリンダの３つの長手方向の列は、ロール内に与えられる。上方ロール３；３０及び下方ロール３；４０の軸は、それらの端部を夫々のベアリング・ハウジング３０ａ及び４０ａに適合されて、回転可能に蒸着される。かかるベアリング・ハウジング３０ａ及び４０ａは、カレンダ１のフレーム４で関連する取付けアーム３０ｂ及び４０ｂ上に関節付けられる。上方ロール及び下方ロールは、従って、ロールの上方及び下方に取り付けられた外部ハイドロリック・シリンダ等の取付け手段３０ｃ及び４０ｃによって一式のロールの平面Ｐに対して平行に取り付けられ得る。最も上方のロール３；３０は、垂直下方に動くロールを伴って、取付け手段３０；３０ｃを用いて下方向に押さえられ得る。最も下方のロール３；４０は、同様に、取付け手段４０；４０ｃを用いて上方向に持ち上げられ得、ロールは垂直上方向に上がる。最も下方のロールは、上方向に持ち上げられ、及び／又は、最も上方のロールは下方向に押さえられる際、所望のニップ圧力がロール・ニップＮで生成される間、一式のロールでロールの間のロール・ニップＮ；ｎ１，ｎ２，ｎ３，ｎ４，ｎ５，ｎ６，ｎ７、又は少なくともそれらのうちのいくつかが閉じる。長手方向のニップ圧力分配（ロール・ニップのリニア圧力分配）は、上方ロール３；３０及び下方ロール３；４０（図示せず）内に与えられた取付け手段を伴って制御される。
【００１７】
各中間ロール３；３１，３２，３３，３４，３５，３６は、上方及び／又は下方ロール３；３０，４０によって当てられた取付け圧力だけではなく、前述の中間ロールの端部に与えられたベアリング・ハウス３ａに固定されたスチーム・ボックス（図示せず）、ドクター・ブレード等の補助手段の重量、及び出力ロール８の重量の影響も受ける。かかるロールの端部でベアリング・ハウジング上に適切に作用する補助手段及びロールの重量は、中間ロール３；３１−３；３６のベアリング・ハウジング３ａに接続された支持アーム３ｂに固定されたハイドロリック・シリンダ３ｃで、完全に又は部分的に補償され得る。各中間ロール３，３１−３；３６の負荷緩和、及び、上方及び下方ロール３；４０；３０の取付け圧力に依存して、カレンダ１のリニア（全体）取付け角が所望の通り変更され得る。
【００１８】
図２は、図１のカレンダにおけるマルチニップカレンダのリニア・取付け角を例示する。図は、図１のマルチニップカレンダを簡略化された形式で示す。図は、ロール・ニップＮ；ｎ１乃至ｎ７の間の２つの異なる取付け角α；α１及びα；α２を備えて生成されたリニア負荷の分配を例示する。
【００１９】
取付け角αは、カレンダの全体ニップ負荷、及び個別のロール・ニップＮ上の全体ニップ負荷の分配を図示する。ロール・ニップＮ；ｎ１乃至ｎ７で広がるニップ力は調整され、最も上方のロール３；３０（上方ロール）及び最も下方のロール３；４０（下方ロール）のニップ力の間の相違は、カレンダにおける所定のレベルにあるようにされ、取付け角αの調整を示唆するものである。カレンダのリニアの全体ロードは、カレンダの基本的なロードに依存する。即ち、適切な中間ロール３；３１−３；３６及び関連付けられた補助手段の重量、及び、上方ロール及び下方ロールによって生成された追加的ロードに依存する。望ましい場合では、各中間ロール３；３１−３；３６及び端部に接続された（図１参照）補助手段によって与えられた重量は、補償されており、かかる特定の中間ロールのクラウンを招く残りの重量は、各ロールで均等な偏向を生成する。これによって、中間ロール、ロール偏向、及びロールに与えられた圧力の特徴を用いて、各中間ロールのニップ負荷の演算が可能になる。カレンダの全体ニップ負荷は、かかるロールのニップ負荷の合計である。リニア・取付け角の定義付け、演算、及び実行は既知の操作であり、故に国際公開第ＦＩ９８／００３９号パンフレットに、これらに関して記載されている。
【００２０】
ニップ負荷は、カレンダの所望されたロード角αが演算された後、各ロール・ニップＮ；ｎ１乃至ｎ７に対して個別に演算され得る。ロール・ニップ上のニップ負荷は、演算手段及び前述の国際公開特許に説明された演算方法を使用して、カレンダのリニア・ロード角α上で演算される。リニア・ロード角は、演算手段及び前述の国際公開特許に説明された演算方法を使用して変更され得るため、個別のロール・ニップｎ１乃至ｎ７の間の（全体）ロード角の分配である。従って、図２中に図示されたマルチニップカレンダでは、７つの中間ロール３；３１−３；３６、下方ロール３；４０、及び上方ロール３；３０を有し、上述の国際公開特許中に説明された制御及び演算方法が使用される際には、ロード角αは比較的自由に選択され得る。続いて、ロード角は、中間ロール３の負荷補償手段３ｃが各中間ロール及び関連付けられた補助手段に対して補償する角度を決定付ける。図２中、ロード角アルファ９０度であり、適切な各中間ロール３；３１３；３６及び補助手段の重量を完全に補償する。ロード角α、α２は、７５度乃至８０度の範囲にある。所望する演算効果の観点から定義付けられたロード角αを伴って、各ロール・ニップＮ；ｎ１乃至ｎ７に広がるニップ圧力は、かかるロード角を基本に演算及び／又は測定され得る。例えば、個別のロール・ニップｎ１乃至ｎ７がマルチニップカレンダでの振動の生成を防止するように続いて変更される場合、上述した国際公開特許で開示された演算フォーミュラによって、１つ又はそれ以上のロール・ニップに広がるニップ圧力への角度を決定することができる。また、ニップ圧力（この場合、支持アーム３ｂ上に負荷補償手段３ｃによって与えられた支持力）上で作用する稼働パラメータは、以前の変更を補償するよう変更される必要があり、そのため、カレンダ１に広がる全体ニップ圧力及びロード角αは、一定又は少なくとも所定の制限内に留まる。
【００２１】
図３は、本発明の方法を使用し、また、全体カレンダリング・インパルス１１及び／又はファイバ・ウェブの品質変数２１をカレンダリング・インパルス測定ブロック６；１０で一定に保って、どのように図１のマルチニップカレンダ１での振動を防止するかを図示する。全体カレンダリング・インパルス１１は、マルチニップカレンダのロール・ニップでカレンダされるべきファイバ・ウェブでの選択された稼動パラメータ９の全体インパクトを測定する。品質変数２１は、同様に、カレンダリングの過程でファイバ・ウェブの異なる特徴の変更を測定するよう使われる。かかる品質変数２１は、ペーパー・ウェブの仕上がり、平滑性、及び密度等を有し、異なるカレンダ稼働パラメータを伴って作用される。これについては上述されている。全体のインパルスに作用する残りの稼働パラメータ９は、当然のことのように一定である。全体カレンダリング・インパルス１１における変更は、また、例えば、全体カレンダリング・インパルス１１上の稼働パラメータ９のインパクトが十分な信頼性をもって予測可能である場合等に、評価され得る。全体カレンダリング・インパルス１１が実際に測定されない限り、制御は通常、品質変数の測定によって確認される。
【００２２】
目的は、全体カレンダリング・インパルス１１に作用する本発明の方法で選択された稼働パラメータ９を、一定に保ち続けることである。これは、全体カレンダリング・インパルス１１の所定のセット値１２を伴って測定された稼働パラメータ９で判定又は決定付けられた全体カレンダリング・インパルス１１の値を比較することによって、また、全体カレンダリング・インパルス１１とそのセット値１２との間の相違変数１３が最低値（ゼロ近い）で得られるように維持することによって、なされる。全体カレンダリング・インパルス１１の代わりに、ロール・ニップで広がる全体圧力（図２参照）等の全体カレンダリング・インパルス１１のいくつかの部分的な変数のみを監視することもできる。その場合、例えば、図１に関連して説明されたカレンダの全体ニップ圧力のみ等を測定することができる。全体ニップ圧力に作用する稼働パラメータ９の間で、基本的なパラメータは、上方及び／又は下方ロール上の取付け圧力、及び、中間ロール３；３１−３；３６の負荷補償手段３ｃで補償されるべき中間ロールに接続された補助的手段の重量である。定期的又は断続的に個別のロール・ニップのカレンダリング・インパルスに作用する稼働パラメータ９もまた、選択された変更手段５３及び演算ユニット５１を使用して同時に変更することが可能である。稼働パラメータ９の変更によって引き起こされた全体カレンダリング・インパルス１１の予想された変更は、演算ユニットの演算手段によって考慮にいれられ得、補償機能及び／又は補償手段５４として使用された全体インパルスの間の適切な所定の相違変数１３を基本に評価又は演算され得る。演算ユニット５１は、変更手段５３、補償機能５４、及び／又は全体カレンダリング・インパルス１１の相違変数（又はこの部分的な変数）として使用された変更機能を基本として、適切なロール・ニップの稼働パラメータ９で実行されるべき変更を、演算する。これは、マルチニップカレンダでの振動の生成を防止するよう、他のロール・ニップで同一又は異なる稼働パラメータ９の変更を補償することを意図されている。
【００２３】
全体カレンダリング・インパルス１１又は上述した部分的変数に加えて、又はそれらの代わりに、ペーパー・ウェブ等のファイバ・ウェブの選択された品質変数２１の変更を監視すること、また、想定された（評価された）及び／又は測定された品質変数の変更に基づき全体的又は部分的に稼働パラメータ９の補償が行なわれること、が可能である。定期的又は断続的な第１の稼働パラメータ９の変更を実行することは、カレンダリング・インパルス及び／又は第１のロール・ニップでの品質変数に作用し、マルチニップカレンダ１での振動を防止し、カレンダ・レベルでのペーパー・ウェブの平滑性及び密度等のファイバ・ウェブの品質変数の変更の影響の測定又は評価を有する。他の稼働パラメータ９の変更がこのあとに続く。かかる変更のカレンダリング・インパルス、及び／又は他のロール・ニップでのファイバ・ウェブの品質変数での影響は、カレンダリング・インパルス及び／又は第１のロール・ニップの品質変数での第１の稼働パラメータによって招かれる変更に対して補償する。他のロール・ニップでなされるべき変更は、カレンダの後に測定又は予想されたファイバ・ウェブの品質変数２１に基づいて評価される。
【００２４】
図３は、品質変数が、品質変数を測定するようブロック６；２０を伴った本発明の方法にどのように考慮にいれられるのかを図示する。選択された断続的又は継続的な変更の方法に従って、変更は第１の稼働パラメータ９に対して調整ユニット５２上に作られる。これは、第１のロール・ニップでファイバ・ウェブによって受けられたカレンダリング・インパルスを変更し、故にマルチニップカレンダの振動感受性を低減させるようにする。この後、又はこれと同時に、演算ユニット５１波、第１の稼働パラメータの変更を補償して第２音稼働パラメータの変更を演算する。第２の稼働パラメータの変更は、第２のロール・ニップでの調整の選択された方法で調整ユニット５２にわたってなされ得る。続いて、仕上がり及び厚み等のファイバ・ウェブの品質変数２１は、カレンダ後に（しばしば、カレンダの前と後の両方に）測定される。ファイバ・ウェブのこれらの測定された品質変数２１は、そのセット値２２と比較され、品質変数から得られた相違変数２３に基づき稼働パラメータの変更の正確性は、演算ユニット５１を介して確認され、いずれの追加の変更も、第１及び／又は第２の稼働パラメータ９になされ得る。
【００２５】
上述されたマルチニップカレンダ１を制御する方法の変形として、ニップ圧力等の特定のロール・ニップでの稼働パラメータ９を変更することが、マルチニップカレンダでの振動を防止する。稼働パラメータ９のこれらの変更は、ファイバ・ウェブＷで測定された品質変数２１の変更に単に基づき補償される。即ち、ファイバ・ウェブの品質変数２１の測定された値が、これらの品質変数のセット値２２からいずれの大きな相違も表さない場合、振動を防止するという観点では、稼働パラメータ９の変更に対する補償は必要ない。しかしながら、測定値２１とセット値２２との間の相違変数２３が、稼働パラメータ９の変更によってあまりに大きくなり過ぎる場合、演算ユニット５１及び調整ユニット５２を用いて、上述された通り変更は補償される。
【００２６】
全体カレンダリング・インパルス１１の変更の代わりに、図２に関連して上述された通り全体ニップ圧力の変更が測定及び評価される場合、図２に関連して説明された通りロード角αを一定に保つようにされる。所定の変更機能５４のもとで１つ又はそれ以上のロール・ニップＮのニップ圧力を変更することによって（例えば、所定の間隔で、各ロール・ニップの圧力を交互に変更することによって）、マルチニップカレンダでの振動を防止することが望まれる際、ロール・ニップでニップ圧力の変更を生成することを求められる稼働パラメータ９は、演算ユニット５１で演算される。実際の操作は、第１の中間ロールの支持アーム３ｂ上にハイドロリック・シリンダ３ｃによって与えられた圧力が、ニップ圧力の所望の変更を達成するよう変えられべきである度数を演算することを有する。加えて、演算ユニットは、補償機能又はフォーミュラ等の補償手段５４に基づき、度数を演算する。該度数は、ニップ圧力及び中間ロール３の支持アーム３ｂ上にハイドロリック・シリンダ３ｃによって与えられた圧力が全体ニップ圧力及びカレンダリング角αが所望の値に留まるよう、１つ又はそれ以上の第２のロール・ニップで変更される必要がある度数である。
【００２７】
本発明に関するほんのいくつかの実施例が上述され、当業者にとっては、本発明が他の多くの方法で請求項に定義付けられた創意から逸脱することなく実施され得ることは明らかである。
【００２８】
故に、上記の単一のマルチニップカレンダに関して説明されたマルチニップカレンダでの振動を防止する方法は、複数のマルチニップカレンダのアレイに拡張され得、上述されたものに類似した振動を防止する制御システムによって制御される。続いて変更は、カレンダ・アレイのレベルで監視される。つまり、カレンダの個別のロール・ニップの稼働パラメータが、振動を防止するよう変更される際、稼動パラメータの補償変更は、同一又は異なるカレンダで実行され得、考慮されているカレンダ・アレイにおける所望の値で留まっている全体  カレンダリング・インパルス及び／又はファイバ・ウェブの品質を伴う。
【図面の簡単な説明】
【００２９】
【図１】典型的なマルチニップカレンダに適用された本発明の配置を、カレンダの端部に向かって直線的に見た概略図である。
【図２】各ニップに示されたニップ圧力分配を備えた図１のマルチニップカレンダの簡略図である。
【図３】本発明の配置で使用される制御システムをブロック図の形式で示す図である。
【図１】
2007512446.tif 000003
【図２】
2007512446.tif 000004
【図３】
2007512446.tif 000005
【国際調査報告】
2007512446.tif 000006
2007512446.tif 000007